(57)【要約】  ワイヤレス通信ネットワークにおいて、第２の装置（３０６）と通信するためのシステム、方法、およびデバイスをここで説明する。いくつかの態様において、第１のワイヤレス通信ユニットは、第１のワイヤレスプロトコル（（３１２）、（７０２））を介して第２の装置（３０６）と通信するように構成されている。第１のワイヤレス通信ユニットは、第１のメッセージを第２の装置（３０６）に送信してもよい。第２のワイヤレス通信ユニットは、第２のワイヤレスプロトコル（（３１４）、（７０４））を介した通信リンクを通して第２の装置（３０６）と通信するように構成されている。第２のワイヤレス通信ユニットは、第１のメッセージ（７０６）の送信の後の予め定められた時間量内に、第１のワイヤレス通信ユニットが第２の装置（３０６）から第２のメッセージを受信しない場合、通信リンクを切断するようにさらに構成されてもよい。【選択図】図３
2016516330.tif 000002
【特許請求の範囲】
【請求項１】
第２の装置と通信する１つ以上の装置を具備するシステムにおいて、
第１のワイヤレスプロトコルを介して前記第２の装置と通信するように構成され、第１のメッセージを前記第２の装置に送信する第１のワイヤレス通信ユニットと、
第２のワイヤレスプロトコルを介した通信リンクを通して前記第２の装置と通信するように構成されている第２のワイヤレス通信ユニットとを具備し、
前記第２のワイヤレス通信ユニットは、前記第１のメッセージの送信の後の予め定められた時間量内に、前記第１のワイヤレス通信ユニットが前記第２の装置から第２のメッセージを受信しない場合、前記通信リンクを切断するようにさらに構成されているシステム。
【請求項２】
前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む請求項１記載のシステム。
【請求項３】
前記第２のメッセージは、前記第１のメッセージが前記第２の装置によって受信されたという肯定応答を含む請求項１記載のシステム。
【請求項４】
前記第１のワイヤレスプロトコルは、前記通信リンクを確立する目的のために、前記第２の装置を認証するように使用される請求項１記載のシステム。
【請求項５】
前記第１のワイヤレス通信ユニットは、第１のコードを前記第２の装置に送信し、
前記第１のコードは、前記通信リンクを維持することまたは修正することのうちの１つをするように構成されている暗号化キーであり、
前記第２のワイヤレス通信ユニットが前記第２のワイヤレスプロトコルを介して前記第１のコードを受信する場合、前記通信リンクが確立される請求項４記載のシステム。
【請求項６】
前記第１のワイヤレス通信ユニットは、第２のコードを前記第２の装置に送信し、
前記第２のコードは、前記通信リンクを維持することまたは修正することのうちの１つをするように構成されている第２の暗号化キーであり、
前記第２のワイヤレス通信ユニットが前記第２のワイヤレスプロトコルを介して前記第２のコードを受信しない場合、前記通信リンクが切断される請求項５記載のシステム。
【請求項７】
前記第１のワイヤレス通信ユニットは、周期的に新たなコードを発生させるようにさらに構成され、
前記それぞれの新たなコードが発生されたとき、前記第１のワイヤレス通信ユニットは、前記それぞれの新たなコードを送信し、
前記新たなコードは、前記通信リンクを維持することまたは修正することのうちの１つをするように構成されている新たな暗号化キーであり、
前記第２のワイヤレス通信ユニットが前記それぞれの新たなコードを受信しない場合、前記通信リンクが切断される請求項５記載のシステム。
【請求項８】
前記第１のワイヤレス通信ユニットは、前記第１のワイヤレスプロトコルを介してメッセージを前記第２の装置に周期的に送信するようにさらに構成され、
前記第２のワイヤレス通信ユニットは、前記第２の装置に送信された前記メッセージのうちの任意の１つに応答した確認メッセージを、前記第１のワイヤレス通信ユニットが前記第２の装置から受信しない場合、前記通信リンクを切断するようにさらに構成されている請求項１記載のシステム。
【請求項９】
前記第２の装置は、メッセージを前記第２のワイヤレス通信ユニットに周期的に送信するように構成され、
前記第２のワイヤレス通信ユニットは、前記第２のワイヤレス通信ユニットが前記メッセージのうちの任意の１つを受信しない場合、前記通信リンクを切断するようにさらに構成されている請求項１記載のシステム。
【請求項１０】
前記第２の装置が第１の位置に位置付けられているとき、前記第１のワイヤレス通信ユニットは、前記第１のメッセージを前記第２の装置に送信し、
前記第２の装置が前記第１の位置に位置付けられている場合、前記第２のワイヤレス通信ユニットは、前記第２のメッセージを受信し、
前記第２の装置が前記第１の位置とは異なる第２の位置に位置付けられている場合、前記第２のワイヤレス通信ユニットは、前記第２のメッセージを受信しない請求項１記載のシステム。
【請求項１１】
前記１つ以上の装置の中の第１の装置は、前記第１のワイヤレス通信ユニットと前記第２のワイヤレス通信ユニットとを備える請求項１記載のシステム。
【請求項１２】
前記１つ以上の装置の中の第１の装置は、前記第１のワイヤレス通信ユニットを備え、
前記１つ以上の装置の中の第３の装置は、前記第２のワイヤレス通信ユニットを備える請求項１記載のシステム。
【請求項１３】
第２の装置と通信する方法において、
第１のワイヤレス通信ユニットによって、第１のワイヤレスプロトコルを介して前記第２の装置と通信し、前記第１のワイヤレス通信ユニットは、第１のメッセージを前記第２の装置に送信することと、
第２のワイヤレス通信ユニットによって、第２のワイヤレスプロトコルを介した通信リンクを通して前記第２の装置と通信することと、
前記第１のメッセージの送信の後の予め定められた時間量内に、前記第１のワイヤレス通信ユニットが前記第２の装置から第２のメッセージを受信しない場合、前記第２のワイヤレス通信ユニットによって前記通信リンクを切断することとを含む方法。
【請求項１４】
前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む請求項１３記載の方法。
【請求項１５】
前記第２のメッセージは、前記第１のメッセージが前記第２の装置によって受信されたという肯定応答を含む請求項１３記載の方法。
【請求項１６】
前記第１のワイヤレスプロトコルは、前記通信リンクを確立する目的のために、前記第２の装置を認証するように使用される請求項１３記載の方法。
【請求項１７】
前記第１のワイヤレス通信ユニットによって、第１のコードを前記第２の装置に送信することをさらに含み、
前記第１のコードは、前記通信リンクを維持することまたは修正することのうちの１つをするように構成されている暗号化キーであり、
前記第２のワイヤレス通信ユニットが前記第２のワイヤレスプロトコルを介して前記第１のコードを受信する場合、前記通信リンクが確立される請求項１６記載の方法。
【請求項１８】
前記第１のワイヤレス通信ユニットによって、第２のコードを前記第２の装置に送信することをさらに含み、
前記第２のコードは、前記通信リンクを維持することまたは修正することのうちの１つをするように構成されている第２の暗号化キーであり、
前記第２のワイヤレス通信ユニットが前記第２のワイヤレスプロトコルを介して前記第２のコードを受信しない場合、前記通信リンクが切断される請求項１７記載の方法。
【請求項１９】
周期的に新たなコードを発生させることと、
前記それぞれの新たなコードが発生されたとき、前記それぞれの新たなコードを送信することとをさらに含み、
前記新たなコードは、前記通信リンクを維持することまたは修正することのうちの１つをするように構成されている新たな暗号化キーであり、
前記第２のワイヤレス通信ユニットが前記それぞれの新たなコードを受信しない場合、前記通信リンクが切断される請求項１７記載の方法。
【請求項２０】
前記第１のワイヤレス通信ユニットによって、前記第１のワイヤレスプロトコルを介してメッセージを前記第２の装置に周期的に送信することと、
前記第２の装置に送信された前記メッセージのうちの任意の１つに応答した確認メッセージを、前記第１のワイヤレス通信ユニットが前記第２の装置から受信しない場合、前記第２のワイヤレス通信ユニットによって、前記通信リンクを切断することとをさらに含む請求項１３記載の方法。
【請求項２１】
前記第２の装置は、メッセージを前記第２のワイヤレス通信ユニットに周期的に送信するように構成され、前記第２のワイヤレス通信ユニットが前記メッセージのうちの任意の１つを受信しない場合、前記第２のワイヤレス通信ユニットによって、前記通信リンクを切断することをさらに含む請求項１３記載の方法。
【請求項２２】
前記第２の装置が第１の位置に位置付けられているとき、前記第１のワイヤレス通信ユニットは、前記第１のメッセージを前記第２の装置に送信し、
前記第２の装置が前記第１の位置に位置付けられている場合、前記第２のワイヤレス通信ユニットは、前記第２のメッセージを受信し、
前記第２の装置が前記第１の位置とは異なる第２の位置に位置付けられている場合、前記第２のワイヤレス通信ユニットは、前記第２のメッセージを受信しない請求項１３記載の方法。
【請求項２３】
第１の装置は、前記第１のワイヤレス通信ユニットと前記第２のワイヤレス通信ユニットとを備える請求項１３記載の方法。
【請求項２４】
第１の装置は、前記第１のワイヤレス通信ユニットを備え、
第３の装置は、前記第２のワイヤレス通信ユニットを備える請求項１３記載の方法。
【請求項２５】
第２の装置と通信する装置において、
第１のワイヤレスプロトコルを介して前記第２の装置と通信し、第１のメッセージを前記第２の装置に送信する第１の手段と、
第２のワイヤレスプロトコルを介した通信リンクを通して前記第２の装置と通信する第２の手段と、
前記第１のメッセージの送信の後の予め定められた時間量内に、前記通信する第１の手段が前記第２の装置から第２のメッセージを受信しない場合に、前記通信リンクを切断する手段とを具備する装置。
【請求項２６】
前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む請求項２５記載の装置。
【請求項２７】
前記第２のメッセージは、前記第１のメッセージが前記第２の装置によって受信されたという肯定応答を含む請求項２５記載の装置。
【請求項２８】
前記第１のワイヤレスプロトコルは、前記通信リンクを確立する目的のために、前記第２の装置を認証するように使用される請求項２５記載の装置。
【請求項２９】
第１のコードを前記第２の装置に送信する手段をさらに具備し、
前記第１のコードは、前記通信リンクを維持することまたは修正することのうちの１つをするように構成されている暗号化キーであり、
前記通信する第２の手段が前記第２のワイヤレスプロトコルを介して前記第１のコードを受信する場合に、前記通信リンクが確立される請求項２８記載の装置。
【請求項３０】
第２のコードを前記第２の装置に送信する手段をさらに具備し、
前記第２のコードは、前記通信リンクを維持することまたは修正することのうちの１つをするように構成されている第２の暗号化キーであり、
前記通信する第２の手段が前記第２のワイヤレスプロトコルを介して前記第２のコードを受信しない場合に、前記通信リンクが切断される請求項２９記載の装置。
【請求項３１】
周期的に新たなコードを発生させる手段と、
前記それぞれの新たなコードが発生されたとき、前記それぞれの新たなコードを送信する手段とをさらに具備し、
前記新たなコードは、前記通信リンクを維持することまたは修正することのうちの１つをするように構成されている新たな暗号化キーであり、
前記通信する第２の手段が前記それぞれの新たなコードを受信しない場合に、前記通信リンクが切断される請求項２９記載の装置。
【請求項３２】
前記第１のワイヤレスプロトコルを介してメッセージを前記第２の装置に周期的に送信する手段と、
前記第２の装置に送信された前記メッセージのうちの任意の１つに応答した確認メッセージを、前記通信する第１の手段が前記第２の装置から受信しない場合に、前記通信リンクを切断する手段とをさらに具備する請求項２５記載の装置。
【請求項３３】
前記第２の装置は、メッセージを前記通信する第２の手段に周期的に送信するように構成され、前記通信する第２の手段が前記メッセージのうちの任意の１つを受信しない場合に、前記通信リンクを切断する手段をさらに具備する請求項２５記載の装置。
【請求項３４】
前記第２の装置が第１の位置に位置付けられているとき、前記通信する第１の手段は、前記第１のメッセージを前記第２の装置に送信し、
前記第２の装置が前記第１の位置に位置付けられている場合に、前記通信する第２の手段は、前記第２のメッセージを受信し、
前記第２の装置が前記第１の位置とは異なる第２の位置に位置付けられている場合に、前記通信する第２の手段は、前記第２のメッセージを受信しない請求項２５記載の装置。
【請求項３５】
前記通信する第１の手段は、第１のワイヤレス通信ユニットを備え、
前記通信する第２の手段と前記切断する手段は、第２のワイヤレス通信ユニットを備える請求項２５記載の装置。
【請求項３６】
コードを含む非一時的なコンピュータ読取可能媒体において、
実行されるときに、前記コードは、装置に、
第１のワイヤレス通信ユニットを使用させて、第１のワイヤレスプロトコルを介して第２の装置と通信させ、第１のメッセージを前記第２の装置に送信させ、
第２のワイヤレス通信ユニットを使用させて、第２のワイヤレスプロトコルを介した通信リンクを通して前記第２の装置と通信させ、
前記第１のメッセージの送信の後の予め定められた時間量内に、前記第１のワイヤレス通信ユニットが前記第２の装置から第２のメッセージを受信しない場合、前記第２のワイヤレス通信ユニットを使用させて、前記通信リンクを切断させる媒体。
【請求項３７】
前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む請求項３６記載の媒体。
【請求項３８】
前記第２のメッセージは、前記第１のメッセージが前記第２の装置によって受信されたという肯定応答を含む請求項３６記載の媒体。
【請求項３９】
前記第１のワイヤレスプロトコルは、前記通信リンクを確立する目的のために、前記第２の装置を認証するように使用される請求項３６記載の媒体。
【請求項４０】
実行されるときに、装置に、前記第１のワイヤレス通信ユニットを使用させて、第１のコードを前記第２の装置に送信させるコードをさらに含み、
前記第１のコードは、前記通信リンクを維持することまたは修正することのうちの１つをするように構成されている暗号化キーであり、
前記第２のワイヤレス通信ユニットが前記第２のワイヤレスプロトコルを介して前記第１のコードを受信する場合、前記通信リンクが確立される請求項３９記載の媒体。
【請求項４１】
実行されるときに、装置に、前記第１のワイヤレス通信ユニットを使用させて、第２のコードを前記第２の装置に送信させるコードをさらに含み、
前記第２のコードは、前記通信リンクを維持することまたは修正することのうちの１つをするように構成されている第２の暗号化キーであり、
前記第２のワイヤレス通信ユニットが前記第２のワイヤレスプロトコルを介して前記第２のコードを受信しない場合、前記通信リンクが切断される請求項４０記載の媒体。
【請求項４２】
実行されるときに、装置に、
周期的に新たなコードを発生させ、
前記それぞれの新たなコードが発生されたとき、前記それぞれの新たなコードを送信させるコードをさらに含み、
前記新たなコードは、前記通信リンクを維持することまたは修正することのうちの１つをするように構成されている新たな暗号化キーであり、
前記第２のワイヤレス通信ユニットが前記それぞれの新たなコードを受信しない場合、前記通信リンクが切断される請求項４０記載の媒体。
【請求項４３】
実行されるときに、装置に、
前記第１のワイヤレス通信ユニットを使用させて、前記第１のワイヤレスプロトコルを介してメッセージを前記第２の装置に周期的に送信させ、
前記第２の装置に送信された前記メッセージのうちの任意の１つに応答した確認メッセージを、前記第１のワイヤレス通信ユニットが前記第２の装置から受信しない場合、前記第２のワイヤレス通信ユニットを使用させて、前記通信リンクを切断させるコードをさらに含む請求項３６記載の媒体。
【請求項４４】
前記第２の装置は、メッセージを前記第２のワイヤレス通信ユニットに周期的に送信するように構成され、前記第２のワイヤレス通信ユニットが前記メッセージのうちの任意の１つを受信しない場合、実行されるときに、装置に、前記第２のワイヤレス通信ユニットを使用させて、前記通信リンクを切断させるコードをさらに含む請求項３６記載の媒体。
【請求項４５】
前記第２の装置が第１の位置に位置付けられているとき、前記第１のワイヤレス通信ユニットは、前記第１のメッセージを前記第２の装置に送信し、
前記第２の装置が前記第１の位置に位置付けられている場合、前記第２のワイヤレス通信ユニットは、前記第２のメッセージを受信し、
前記第２の装置が前記第１の位置とは異なる第２の位置に位置付けられている場合、前記第２のワイヤレス通信ユニットは、前記第２のメッセージを受信しない請求項３６記載の媒体。
【発明の詳細な説明】
【分野】
【０００１】
［０００１］
本発明は、一般的にワイヤレス通信に関連し、より具体的には、近接場通信を使用してリンクを維持するためのシステム、方法およびデバイスに関連する。
【背景】
【０００２】
［０００２］
多くの電気通信システムでは、通信ネットワークは、いくつかの相互対話する空間的に隔てられたデバイス間でメッセージを交換するために使用される。ネットワークは、地理的範囲にしたがって分類されてもよく、地理的範囲は、例えば、メトロポリタンエリア、ローカルエリア、パーソナルエリアであってもよい。このようなネットワークは、広域ネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、または、パーソナルエリアネットワーク（ＰＡＮ）として、それぞれ表わされるだろう。ネットワークは、さまざまなネットワークノードおよびデバイスを相互接続するために使用されるスイッチング／ルーティング技術（例えば、回線スイッチング対パケットスイッチング）にしたがって、送信のために用いられる物理媒体のタイプ（例えば、ワイヤード対ワイヤレス）にしたがって、使用される通信プロトコルのセット（例えば、インターネットプロトコルスーツ、ＳＯＮＥＴ（同期光ネットワーキング）、イーサネット（登録商標）等）にしたがって、も異なる。
【０００３】
［０００３］
ネットワークエレメントが移動体であり、したがって、動的接続性のニーズを有するとき、または、ネットワークアーキテクチャが固定的よりもむしろアドホックのトポロジーにおいて形成される場合に、ワイヤレスネットワークは、好まれることが多い。ワイヤレスネットワークは、無線、マイクロ波、赤外線、光等の周波数帯域における電磁波を使用して、無誘導伝搬モードにおいて無形物理媒体を用いる。ワイヤレスネットワークは、固定されたワイヤードネットワークと比較されるとき、ユーザの移動性および迅速なフィールド配備を有利に促進する。
【０００４】
［０００４］
ワイヤレスネットワークは、ネットワークを通してワイヤレスに転送されるデータを保護するための、セキュリティプロトコルを含んでいてもよい。このようなセキュリティプロトコルは、ワイヤード同等プライバシー（ＷＥＰ）、Ｗｉ−Ｆｉ（登録商標）プロテクテッドアクセス（ＷＰＡ）、高度暗号化標準規格（ＡＥＳ）、ペアワイズマスターキー（ＰＭＫ）およびこれらに類するものを含んでいる。加えて、ワイヤードネットワークは、ハイパーテキスト転送プロトコルセキュア（ＨＴＴＰＳ）、ファイヤーウォール、および、これらに類するもののような、転送されるデータを保護するための、セキュリティプロトコルを含んでいてもよい。しかしながら、これらのセキュリティプロトコルは、人が正しいツールまたは機器へのアクセスを有する場合、危険にさらされるかもしれない。いくつかの状況において、ワイヤードネットワークまたはワイヤレスネットワークを介して通信するとき、セキュリティのより高いレベルが望ましいかもしれない。
【概要】
【０００５】
［０００５］
発明のシステム、方法、およびデバイスは、それぞれ、いくつかの態様を有し、これらのうちのいずれも、その望ましい属性を単独で担うことはない。後続する特許請求の範囲により表した本発明の範囲を限定することなく、いくつかの特徴をこれから簡単に議論する。この議論を考慮した後に、および、特に「詳細な説明」と題されたセクションを読んだ後に、本発明の特徴が、ワイヤレスネットワーク中のアクセスポイントと局との間の改善された通信を含む利点をどのように提供するかを理解するだろう。
【０００６】
［０００６］
本開示の１つの態様は、第２の装置と通信する１つ以上の装置を具備するシステムを提供する。システムは、第１のワイヤレスプロトコルを介して第２の装置と通信するように構成されている第１のワイヤレス通信ユニットを具備している。第１のワイヤレス通信ユニットは、第１のメッセージを第２の装置に送信してもよい。システムは、第２のワイヤレスプロトコルを介した通信リンクを通して第２の装置と通信するように構成されている第２のワイヤレス通信ユニットをさらに具備している。第２のワイヤレス通信ユニットは、第１のメッセージの送信の後の予め定められた時間量内に、第１のワイヤレス通信ユニットが第２の装置から第２のメッセージを受信しない場合、通信リンクを切断するようにさらに構成されていてもよい。
【０００７】
［０００７］
本開示の別の態様は、第２の装置と通信する方法を提供する。方法は、第１のワイヤレス通信ユニットによって、第１のワイヤレスプロトコルを介して第２の装置と通信することを含んでいる。第１のワイヤレス通信ユニットは、第１のメッセージを第２の装置に送信してもよい。方法は、第２のワイヤレス通信ユニットによって、第２のワイヤレスプロトコルを介した通信リンクを通して、第２の装置と通信することをさらに含んでいてもよい。方法は、第１のメッセージの送信の後の予め定められた時間量内に、第１のワイヤレス通信ユニットが第２の装置から第２のメッセージを受信しない場合、第２のワイヤレス通信ユニットによって通信リンクを切断することをさらに含んでいてもよい。
【０００８】
［０００８］
本開示の別の態様は、第２の装置と通信する装置を提供する。装置は、第１のワイヤレスプロトコルを介して第２の装置と通信する第１の手段を具備する。通信する第１の手段は、第１のメッセージを第２の装置に送信してもよい。装置は、第２のワイヤレスプロトコルを介した通信リンクを通して第２の装置と通信する第２の手段をさらに具備していてもよい。装置は、第１のメッセージの送信の後の予め定められた時間量内に、通信する第１の手段が第２の装置から第２のメッセージを受信しない場合に、通信リンクを切断する手段をさらに具備する。
【０００９】
［０００９］
本開示の別の態様は、実行されるときに、装置に、第１のワイヤレス通信ユニットを使用させて、第１のワイヤレスプロトコルを介して第２の装置と通信させる、コードを含む非一時的コンピュータ読取可能媒体を提供する。第１のワイヤレス通信ユニットは、第１のメッセージを第２の装置に送信してもよい。媒体は、実行されるときに、装置に、第２のワイヤレス通信ユニットを使用させて、第２のワイヤレスプロトコルを介した通信リンクを通して第２の装置と通信させるコードをさらに含んでいる。媒体は、実行されるときに、装置に、第１のメッセージの送信の後の予め定められた時間量内に、第１のワイヤレス通信ユニットが第２の装置から第２のメッセージを受信しない場合、第２のワイヤレス通信ユニットを使用させて、通信リンクを切断させる、コードをさらに含んでいる。
【図面の簡単な説明】
【００１０】
【図１】［００１０］  図１は、本開示の態様が用いてもよい、例示的なワイヤレス通信システムを示している。
【図２】［００１１］  図２は、図１のワイヤレス通信システム内で用いられてもよい、例示的なワイヤレスデバイスの機能ブロックダイヤグラムを示している。
【図３】［００１２］  図３は、局が短距離通信プトロコルおよび長距離通信プロトコルを介して通信するワイヤレス通信システムを図示している。
【図４】［００１３］  図４は、局が短距離通信プトロコルおよび長距離通信プロトコルを介して通信する別のワイヤレス通信システムを図示している。
【図５】［００１４］  図５は、局とアクセスポイントとの間の安全な接続を維持するための決定ダイヤグラムを図示している。
【図６】［００１５］  図６は、局とアクセスポイントとの間の安全な接続を維持するための別の決定ダイヤグラムを図示している。
【図７】［００１６］  図７は、図１、図３および／または図４のワイヤレス通信システム中の局と通信するためのプロセスのフローチャートである。
【図８】［００１７］  図８は、図１、図３および／または図４のワイヤレス通信システム内で用いられてもよい例示的なデバイスの機能ブロックダイヤグラムである。
【詳細な説明】
【００１１】
［００１８］
添付した図面を参照して、新規なシステム、装置、および方法のさまざまな態様を以下でさらに十分に説明する。しかしながら、この開示は、多くの異なる形態で具現化してもよく、この開示全体を通して提示される、何らかの特定の構造または機能に限定されるものとして解釈すべきではない。むしろ、この開示が、徹底して完全なものになるように、および、本開示の範囲を当業者に十分に伝えるために、これらの態様を提供する。ここでの教示に基づいて、本開示の範囲は、本発明の他の何らかの態様と独立して、または、本発明の他の何らかの態様と組み合わせて実現するか否かにかかわらず、ここで開示した新規なシステム、装置、および方法の何らかの態様をカバーすることを意図していることを、当業者は正しく認識すべきである。例えば、ここで述べる任意の数の態様を使用して、装置を実現してもよく、または、方法を実施してもよい。加えて、ここで述べる本発明のさまざまな態様に加えて、または、ここで述べる発明のさまざまな態様以外の、他の構造、機能性、または、構造および機能性を使用して実施する、このような装置または方法をカバーすることを、本発明の範囲は意図している。ここに開示した任意の態様は、請求項の１つ以上のエレメントにより具現化してもよいことを理解すべきである。
【００１２】
［００１９］
特定の態様をここで説明するが、これらの態様の多くのバリエーションおよび置換が本開示の範囲内にある。好ましい態様のいくつかの利益および利点に言及するが、本開示の範囲は、特定の利益、使用、または、目的に限定されることを意図していない。むしろ、本開示の態様は、異なるワイヤレス技術、システムコンフィギュレーション、ネットワーク、および、送信プロトコルに広く適用可能であるように意図されており、そのうちのいくつかは、例として、図面中で、および、好ましい態様の以下の説明中で示されている。詳細な説明および図は、限定よりむしろ、本開示の単なる例示であり、本開示の範囲は、添付の特許請求の範囲およびそれらの均等物により規定される。
【００１３】
［００２０］
ポピュラーな、ワイヤードネットワーク技術およびワイヤレスネットワーク技術は、さまざまなタイプの短距離通信（例えば、近接場通信（ＮＦＣ）、無線周波数識別（ＲＦＩＤ）、無線周波数（ＲＦ）等）および長距離通信を含んでいてもよい。短距離通信は、０〜４cm離れたデバイス間の通信によって特徴付けられてもよい。長距離通信は、任意のローカルワイヤレスエリアネットワーク（ＷＬＡＮ）プロトコル（例えば、任意のＩＥＥＥ８０２．１１プロトコル、ブルートゥース（登録商標）等）、任意のワイヤレス広域ネットワーク（ＷＷＡＮ）プロトコル（例えば、ＬＴＥ、ＣＤＭＡ、ＷｉＭＡＸ（登録商標）、ＧＳＭ（登録商標）、等）、任意のワイヤードネットワークプロトコル（例えば、ＩＥＥＥ１３９４、イーサネット（登録商標）、ユニバーサルシリアルバス（ＵＳＢ）、等）およびこれらに類するものを含んでいてもよい。特に、ＷＬＡＮは、広く使用されるネットワーキングプロトコルを用いて、近くのデバイスを互いに相互接続するために使用される。ＷＷＡＮは、広く使用されるネットワーキングプロトコルを用いて、ある距離だけ離れたデバイスを相互接続するために使用される。ここで説明するさまざまな態様は、ワイヤレスプロトコルまたはワイヤードプロトコルのような、任意の通信標準規格に適用してもよい。
【００１４】
［００２１］
いくつかの態様において、ワイヤレス信号は、直交周波数分割多重（ＯＦＤＭ）通信、直接シーケンススペクトラム拡散（ＤＳＳＳ）通信、ＯＦＤＭ通信とＤＳＳＳ通信との組み合わせ、または、他のスキームを使用して、短距離通信プロトコルまたは長距離通信プロトコルにしたがって、送信されてもよい。ワイヤード信号は、類似した、データ送信および／またはデータ圧縮技術を使用して、短距離通信プロトコルまたは長距離通信プロトコルにしたがって送信されてもよい。このようなプロトコルのインプリメンテーションは、安全な通信、モバイルバンキング、移動体電話、支払取引、ネットワークアクセス、および、これらに類するものに使用してもよい。有利なことに、上記で言及したプロトコルのいずれかを実現するあるデバイスの態様は、他のワイヤードプロトコルまたはワイヤレスプロトコルデバイスを実現するよりも、より少ない電力を消費するかもしれず、ならびに／あるいは、例えば約１キロメートルまたは１キロメートルより長い、比較的長い範囲に渡ってワイヤード信号またはワイヤレス信号を送信するために使用してもよい。
【００１５】
［００２２］
いくつかのインプリメンテーションにおいて、短距離通信ネットワークおよび／または長距離通信ネットワークは、ワイヤードネットワークまたはワイヤレスネットワークにアクセスするコンポーネントである、さまざまなデバイスを含んでいる。例えば、アクセスポイント（「ＡＰ」）とクライアント（局または「ＳＴＡ」としても呼ばれる）との２つのタイプのデバイスがあってもよい。一般的に、ＡＰは、通信ネットワークに対するハブまたは基地局として機能してもよく、ＳＴＡは、通信ネットワークのユーザとして機能してもよい。例えば、ＳＴＡはラップトップコンピュータ、パーソナルデジタルアシスタント（ＰＤＡ）、移動体電話機、等であってもよい。例において、ＳＴＡは、ＷｉＦｉ（登録商標）（例えば、ＩＥＥＥ８０２．１１プロトコル）準拠ワイヤレスリンクを介してまたはモバイルキャリア準拠ワイヤレスリンク（例えば、ＬＴＥ、ＣＤＭＡ、ＷｉＭＡＸ（登録商標）、ＧＳＭ、等）を介してＡＰに接続して、インターネットへのまたは他の広域ネットワークへの一般的な接続を取得する。いくつかのインプリメンテ―ションにおいて、ＳＴＡもＡＰとして使用してもよい。
【００１６】
［００２３］
アクセスポイント（「ＡＰ」）は、ノードＢ、無線ネットワーク制御装置（「ＲＮＣ」）、ｅノードＢ、基地局制御装置（「ＢＳＣ」）、基地トランシーバ局（「ＢＴＳ」）、基地局（「ＢＳ」）、トランシーバ機能（「ＴＦ」）、無線ルータ、無線トランシーバ、または、他の何らかの専門用語も含んでいてもよく、これらのものとして実現してもよく、あるいは、これらのものとして知られていてもよい。ＡＰは、フェムトセル、セルタワー、ワイヤードゲートウェイまたはワイヤレスゲートウェイ、モバイルプリペイドカード、ＲＦＩＤリーダ／ＲＦＩＤライタ、ポータブル電子デバイス、コンピュータ、ドッキング局、充電局、現金自動預け払い機（ＡＴＭ）、あるいは、これらに類するものをさらに含んでいてもよい。
【００１７】
［００２４］
局（「ＳＴＡ」）は、アクセス端末（「ＡＴ」）、加入者局、加入者ユニット、移動局、遠隔局、遠隔端末、ユーザ端末、ユーザエージェント、ユーザデバイス、ユーザ機器、または、他の何らかの専門用語も含んでいてもよく、これらのものとして実現してもよく、あるいは、これらのものとして知られていてもよい。いくつかのインプリメンテーションにおいて、アクセス端末は、セルラ電話機、コードレス電話機、セッション開始プロトコル（「ＳＩＰ」）電話機、ワイヤレスローカルループ（「ＷＬＬ」）局、パーソナルデジタルアシスタント（「ＰＤＡ」）、ワイヤレス接続能力を有するハンドヘルドデバイス、または、ワイヤレスモデムに接続される他の何らかの適切な処理デバイスを含んでいてもよい。したがって、ここで教示する１つ以上の態様は、電話機（例えば、セルラ電話機またはスマートフォン）中に、コンピュータ（例えば、ラップトップ）中に、ポータブル通信デバイス中に、ヘッドセット中に、ポータブルコンピューティングデバイス（例えば、パーソナルデータアシスタント）中に、エンターテインメントデバイス（例えば、音楽デバイスまたはビデオデバイス、あるいは、衛星ラジオ）中に、ゲームデバイスまたはシステム中に、グローバルポジショニングシステムデバイス中に、あるいは、ワイヤレス媒体を介して通信するように構成されている他の何らかの適切なデバイス中に、組み込んでもよい。
【００１８】
［００２５］
上記で議論したように、ここで説明するデバイスのうちのいくつかは、短距離通信プロトコルおよび／または長距離通信プロトコルを実現してもよい。ＳＴＡまたはＡＰまたは他のデバイスとして使用されようとなかろうと、このようなデバイスは、安全な通信、モバイルバンキング、移動電話、支払取引、および／または、ネットワークアクセスに対して使用してもよい。デバイスは、ヘルスケアの文脈で、例えばパーソナルヘルスケアに対して、代わりに使用してもよく、さらに使用してもよい。デバイスは、監視のために、（例えば、ホットスポットによる使用に対して）拡張された範囲のインターネット接続性を可能にするように、または、機械対機械通信を実現するように使用してもよい。
【００１９】
［００２６］
図１は、本開示の態様が用いられてもよい、例示的なワイヤレス通信システム１００を示している。ワイヤレス通信システム１００は、ワイヤレス標準規格、例えば、ＩＥＥＥ８０２．１１標準規格に準拠して、動作してもよい。ワイヤレス通信システム１００は、ＳＴＡ１０６と通信するＡＰ１０４を含んでいてもよい。
【００２０】
［００２７］
ＡＰ１０４とＳＴＡ１０６との間のワイヤレス通信システム１００における送信のために、さまざまなプロセスおよび方法を使用してもよい。例えば、ＯＦＤＭ／ＯＦＤＭＡ技術にしたがって、ＡＰ１０４とＳＴＡ１０６との間で、信号を送ってもよく、受信してもよい。このケースの場合、ワイヤレス通信システム１００は、ＯＦＤＭ／ＯＦＤＭＡシステムとして呼ばれることがある。代替的に、ＣＤＭＡ技術にしたがって、ＡＰ１０４とＳＴＡ１０６との間で、信号を送ってもよく、受信してもよい。このケースの場合、ワイヤレス通信システム１００は、ＣＤＭＡシステムとして呼ばれることがある。
【００２１】
［００２８］
ＡＰ１０４からＳＴＡ１０６のうちの１つ以上への送信を促進する通信リンクは、ダウンリンク（ＤＬ）１０８として呼ばれることがあり、ＳＴＡ１０６のうちの１つ以上からＡＰ１０４への送信を促進する通信リンクは、アップリンク（ＵＬ）１１０として呼ばれることがある。代替的に、ダウンリンク１０８は、フォワードリンクまたはフォワードチャネルとして呼ばれることがあり、アップリンク１１０は、リバースリンクまたはリバースチャネルとして呼ばれることがある。
【００２２】
［００２９］
ＡＰ１０４は、基地局として機能してもよく、基本サービスエリア（ＢＳＡ）１０２中にワイヤレス通信カバレッジを提供してもよい。ＡＰ１０４に関係付けられ、通信のためにＡＰ１０４を使用するＳＴＡ１０６とともにＡＰ１０４は、基本サービスセット（ＢＳＳ）として呼ばれることがある。ワイヤレス通信システム１００は、中央ＡＰ１０４を有していなくてもよいが、むしろＳＴＡ１０６間のピアツーピアネットワークとして機能してもよいことに着目すべきである。したがって、ここで説明するＡＰ１０４の機能は、代替的にＳＴＡ１０６のうちの１つ以上によって実行してもよい。
【００２３】
［００３０］
ＡＰ１０４は、ダウンリンク１０８のような通信リンクを介して、システム１００の他のノードＳＴＡ１０６にビーコン信号（または単に「ビーコン」）を送信してもよく、これは、他のノードＳＴＡ１０６が、ＡＰ１０４と他のノードＳＴＡ１０６とのタイミングを同期させることを助けてもよく、あるいは、他の情報または機能性を提供してもよい。このようなビーコンは、周期的に送信してもよい。１つの態様において、連続する送信間の周期は、スーパーフレームとして呼ばれることがある。ビーコンの送信は、多数のグループまたは間隔に分割してもよい。１つの態様において、ビーコンは、共通クロックを設定するためのタイムスタンプ情報や、ピアツーピアネットワーク識別子や、デバイス識別子や、能力情報や、スーパーフレーム期間や、送信方向情報や、受信方向情報や、隣接リストおよび／または拡張された隣接リスト、のような情報を含んでいてもよいが、これらに限定されず、これらのうちのいくつかは、以下でさらに詳細に説明する。したがって、ビーコンは、いくつかのデバイス間で共通の（例えば、共有する）情報と、所定のデバイスに特定の情報との両方を含んでいてもよい。
【００２４】
［００３１］
いくつかの態様において、ＳＴＡ１０６は、ＡＰ１０４に通信を送る、および／またはＡＰ１０４から通信を受信するために、ＡＰ１０４と関係付くように要求されてもよい。１つの態様において、関係付くための情報は、ＡＰ１０４によりブロードキャストされるビーコン中に含まれる。このようなビーコンを受信するために、ＳＴＡ１０６は、例えばカバレッジ領域に渡って、広いカバレッジサーチを実行してもよい。サーチはまた、例えば、ライトハウスの方法で、カバレッジ領域をスイープすることにより、ＳＴＡ１０６によって実行してもよい。関係付くための情報を受信した後、ＳＴＡ１０６は、関係プローブまたは要求のような、基準信号をＡＰ１０４に送信してもよい。いくつかの態様において、ＡＰ１０４は、バックホールサービスを使用して、例えば、インターネットまたは公衆電話交換ネットワーク（ＰＳＴＮ）のような、より大きなネットワークと通信してもよい。
【００２５】
［００３２］
図２は、図１のワイヤレス通信システム１００の内で用いてもよい、ワイヤレスデバイス２０２の例示的な機能性ブロックダイヤグラムを示している。ワイヤレスデバイス２０２は、ここで説明するさまざまな方法を実現するように構成されていてもよいデバイスの例である。例えば、ワイヤレスデバイス２０２は、ＡＰ１０４または、ＳＴＡ１０６のうちの１つを備えていてもよい。
【００２６】
［００３３］
ワイヤレスデバイス２０２は、プロセッサ２０４を含んでいてもよく、プロセッサ２０４は、ワイヤレスデバイス２０２の動作を制御する。プロセッサ２０４は、中央処理ユニット（ＣＰＵ）と呼ばれることがある。メモリを２０６は、リードオンリーメモリ（ＲＯＭ）とランダムアクセスメモリ（ＲＡＭ）との両方を含んでいてもよく、命令およびデータをプロセッサ２０４に提供してもよい。メモリ２０６の一部分は、不揮発性ランダムアクセスメモリ（ＮＶＲＡＭ）も含んでいてもよい。プロセッサ２０４は典型的に、メモリ２０６内に記憶されているプログラム命令に基づいて、論理および演算動作を実行する。メモリ２０６における命令は、ここで説明する方法を実現するために実行可能であってもよい。
【００２７】
［００３４］
プロセッサ２０４は、１つ以上のプロセッサによって実現する処理システムのコンポーネントを含んでもよく、または、１つ以上のプロセッサによって実現する処理システムのコンポーネントであってもよい。１つ以上のプロセッサは、汎用マイクロプロセッサ、マイクロ制御装置、デジタル信号プロセッサ（ＤＳＰ）、フィールドプログラマブルゲートアレイ（ＦＰＧＡ）、プログラマブル論理デバイス（ＰＬＤ）、制御装置、状態機械、ゲート論理、ディスクリートハードウェアコンポーネント、専用ハードウェア有限状態機械、あるいは、情報の、計算または他の操作を実行できる他の何らかの適切なエンティティ、の任意の組み合わせにより実現してもよい。
【００２８】
［００３５］
処理システムは、ソフトウェアを記憶する機械読取可能媒体も備えていてもよい。ソフトウェアは、ソフトウェア、ファームウェア、ミドルウェア、マイクロコード、ハードウェア記述言語、またはその他のものと呼ばれようとなかろうと、何らかのタイプの命令を意味するように広く解釈すべきである。命令は、コード（例えば、ソースコードのフォーマットの、バイナリコードフォーマットの、実行可能なコードのフォーマットの、または、他の何らかの適切なフォーマットのコード）を含んでいてもよい。命令は、１つ以上のプロセッサによって実行されるときに、ここで説明するさまざまな機能を処理システムに実行させる。
【００２９】
［００３６］
ワイヤレスデバイス２０２は、ハウジング２０８も含んでいてもよく、ハウジング２０８は、ワイヤレスデバイス２０２とリモートロケーションとの間でデータを送信および受信できるようにする、送信機２１０および受信機２１２を含んでいてもよい。送信機２１０および受信機２１２は、トランシーバ２１４に組み合わせてもよい。アンテナ２１６は、ハウジング２０８にアタッチされ、トランシーバ２１４に電気的に結合されていてもよい。ワイヤレスデバイス２０２は、（示されていない）複数の送信機、複数の受信機、複数のトランシーバ、および／または、複数のアンテナも含んでいてもよい。例えば、ワイヤレスデバイス２０２は、短距離通信のためのトランシーバおよび／またはアンテナと、長距離通信のためのトランシーバおよび／またはアンテナとを含んでいてもよい。
【００３０】
［００３７］
ワイヤレスデバイス２０２は、信号検出器２１８も備えていてもよく、信号検出器２１８は、トランシーバ２１４によって受信された信号のレベルを検出して定量化しようとするために使用してもよい。信号検出器２１８は、総エネルギー、シンボル当たりの副搬送波毎のエネルギー、電力スペクトル密度、および他の信号として、信号を検出してもよい。ワイヤレスデバイス２０２は、信号を処理する際に使用するための、デジタル信号プロセッサ（ＤＳＰ）２２０も含んでいてもよい。ＤＳＰ２２０は、送信のためのパケットを発生させるように構成されていてもよい。いくつかの態様において、パケットは、物理レイヤデータユニット（ＰＰＤＵ）を備えていてもよい。
【００３１】
［００３８］
ワイヤレスデバイス２０２は、いくつかの態様において、ユーザインターフェース２２２をさらに備えていてもよい。ユーザインターフェース２２２は、キーパッド、マイクロフォン、スピーカー、および／または、ディスプレイを備えていてもよい。ユーザインターフェース２２２は、ワイヤレスデバイス２０２のユーザに情報を伝える、および／または、ユーザからの入力を受け取る、何らかのエレメントまたは何らかのコンポーネントを含んでいてもよい。
【００３２】
［００３９］
ワイヤレスデバイス２０２のさまざまなコンポーネントは、バスシステム２２６によって、ともに結合されていてもよい。バスシステム２２６は、データバスを含んでいてもよく、データバスに加えて、例えば、電力バス、制御信号バス、および、ステータス信号バスも含んでいてもよい。当業者であれば、他の何らかのメカニズムを使用して、ワイヤレスデバイス２０２のコンポーネントが、ともに結合されてもよく、あるいは、入力を受け取ってもよく、または、入力を互いに提供してもよいと認識するだろう。
【００３３】
［００４０］
多数の別々のコンポーネントを図２中に図示しているが、当業者であれば、コンポーネントのうちの１つ以上を組み合わせ、または、共通して実現してもよいと認識するだろう。例えば、プロセッサ２０４は、プロセッサ２０４に関して上記で説明した機能性を実現するだけでなく、信号検出器２１８および／またはＤＳＰ２２０に関して上記で説明した機能性を実現するためにも使用してもよい。さらに、図２中で図示したコンポーネントのそれぞれは、複数の別々のエレメントを使用して、実現してもよい。
【００３４】
［００４１］
ワイヤレスデバイス２０２は、ＡＰ１０４またはＳＴＡ１０６を備えていてもよく、通信を送信するおよび／または通信を受信するために使用してもよい。すなわち、ＡＰ１０４またはＳＴＡ１０６のいずれかは、送信機デバイスまたは受信機デバイスとして機能してもよい。ある態様は、送信機または受信機の存在を検出するために、メモリ２０６およびプロセッサ２０４上で実行するソフトウェアによって使用される信号検出器２１８を企図している。
【００３５】
［００４２］
上記で説明したように、ワイヤレスネットワークは、ネットワークを通してワイヤレスに転送されるデータを保護するためのセキュリティプロトコルを含んでいてもよい。このようなセキュリティプロトコルは、ワイヤード同等プライバシー（ＷＥＰ）、Ｗｉ−Ｆｉプロテクテッドアクセス（ＷＰＡ）、高度暗号化標準規格（ＡＥＳ）、ペアワイズマスターキー（ＰＭＫ）、および、これらに類するものを含んでいる。加えて、ワイヤードネットワークは、ハイパーテキスト転送プロトコルセキュア（ＨＴＴＰＳ）、ファイヤーウォール、および、これらに類するもののような、転送されるデータを保護するためのセキュリティプロトコルを含んでいてもよい。しかしながら、これらのセキュリティプロトコルは、人が正しいツールまたは機器へのアクセスを有する場合、危険にさらされるかもしれない。例えば、ツールまたは機器を使用して、暗号化キーを決定し、送信されたデータを慎重に解読してもよい。
【００３６】
［００４３］
セキュリティプロトコルが危険にさらされるかもしれない可能性は、あるアプリケーションに対して特に問題となることがある。例えば、ユーザがモバイルバンキングに携わっている間に、セキュリティプロトコルが危険にさられる場合、ユーザは、経済的損失を被るかもしれない。したがって、いくつかの状況において、ワイヤードまたはワイヤレスネットワークを介して通信するとき、より高いレベルのセキュリティが望ましいかもしれない。
【００３７】
［００４４］
いくつかの実施形態において、より高いレベルのネットワークセキュリティは、短距離通信および長距離通信を介した通信を可能にするデバイスを介して達成してもよい。例えば、短距離通信は、データを提供してもよく、またはそうでなければ、長距離通信を介しての安全なリンクを通して、デバイスが通信できるようにしてもよい。このような実施形態およびこのような実施形態のバリエーションを、図３〜８に関して以下でさらに詳細に開示する。
【００３８】
［００４５］
図３は、ＳＴＡ３０６が短距離通信プロトコルおよび長距離通信プロトコルを介して通信する、ワイヤレス通信システム３００を図示している。実施形態において、ＳＴＡ３０６のトランシーバ２１４は、短距離通信プロトコル３１２を介して短距離基地局（例えば、ＡＰ３０４Ａ）と通信するように構成されている短距離通信トランシーバと、長距離通信プロトコル３１４を介して長距離基地局（例えば、ＡＰ３０４Ａ）と通信するように構成されている長距離通信トランシーバとを含んでいてもよい。短距離通信トランシーバは、プロセッサ２０４のようなプロセッサにおよび／または長距離通信トランシーバに結合されていてもよい。例えば、短距離通信トランシーバは、プロセッサ２０４におよび／または長距離通信トランシーバにハードワイヤ接続されていてもよい。
【００３９】
［００４６］
一般的に、短距離基地局は、アクセスポイント、フェムトセル、セルタワー、モバイルプリペイドカード、ＲＦＩＤリーダ／ＲＦＩＤライタ、ポータブル電子デバイス、コンピュータ、ドッキング局、充電局、現金自動預け払い機（ＡＴＭ）、または、これらに類するものを含んでいてもよい。長距離基地局は、アクセスポイント、フェムトセル、セルタワー、ワイヤードゲートウェイまたはワイヤレスゲートウェイ、ポータブル電子デバイス、コンピュータ、ＡＴＭ、または、これらに類するものを含んでいてもよい。図３中に示すように、短距離基地局および長距離基地局は、同じデバイス、ＡＰ３０４Ａである。したがって、ＡＰ３０４Ａは、短距離基地局および長距離基地局の機能を実行してもよい。図４中で図示するような他の実施形態において、短距離基地局および長距離基地局は、別々のデバイスである。
【００４０】
［００４７］
図３中に図示するように、短距離通信プロトコル３１２は、ＮＦＣプロトコルであってもよく、長距離通信プロトコル３１４は、ＷｉＦｉプロトコル（例えば、ＩＥＥＥ８０２．１１プロトコル）であってもよい。図３中で特定の通信プロトコルが提供されているが、これは、ここで提供されている開示が何らかの通信プロトコルを適用していると当業者が認識するように、単なる例示である。
【００４１】
［００４８］
いくつかの実施形態において、ＡＰ３０４Ａは、ＳＴＡ３０６と別のＡＰ３０４Ｂとの間の通信を中継してもよい。通信は、通信リンク３１６を通して中継してもよい。このような通信は、何らかのワイヤード通信プロトコルまたはワイヤレス通信プロコルを使用して、中継してもよい。
【００４２】
［００４９］
実施形態において、ＳＴＡ３０６は、長距離通信プロトコル３１４によって決定されたルールを介して長距離通信ネットワークを認証して、長距離基地局としてのそのキャパシティにおいて、ＳＴＡ３０６とＡＰ３０４Ａとの間の通信リンクを確立してもよい。例えば、ＳＴＡ３０６は、適切なセキュリティ情報（例えば、パスフレーズ、キー、トークン、等）を提供することを含む、ＡＰ３０４Ａを介しての長距離通信ネットワークとのハンドシェークを実行して、長距離通信ネットワークへのアクセスを得てもよい。ＳＴＡ３０６は、ポジション３０８に位置付けられている間に、この認証を実行してもよい。
【００４３】
［００５０］
別の実施形態において、ＳＴＡ３０６は、短距離通信プロトコル３１２を介して長距離通信ネットワークを認証して、長距離基地局としてのそのキャパシティにおいて、ＳＴＡ３０６とＡＰ３０４Ａとの間の通信リンクを確立してもよい。例えば、ＳＴＡ３０６は、短距離通信プロトコル３１２を介して、短距離基地局としてのそのキャパシティにおいて、ＡＰ３０４Ａからデータを受信するように構成されていてもよい。データは、長距離通信プロトコル３１４を介して通信する、ＡＰ３０４Ａのようなデバイスによって認識されるコード（例えば、パスフレーズ、キー、トークン、等）を含んでいてもよい。コードは、長距離通信ネットワークへのアクセスを提供してもよい。例として、データは、ＷｉＦｉネットワークへのアクセスを提供するセキュリティキーを含んでいてもよい。その後ＳＴＡ３０６は、長距離基地局としてのそのキャパシティにおいて、ＡＰ３０４Ａから短距離通信プロトコル３１２を介して受信されたコードを使用して、長距離通信ネットワークへのアクセスを要求してもよい。
【００４４】
［００５１］
短距離通信プロトコル３１２をさらに使用して、長距離通信プロトコル３１４を通してのＳＴＡ３０６とＡＰ３０４Ａとの間の通信リンクを維持または修正してもよい。例えば、ＡＰ３０４Ａは、短距離基地局としてのそのキャパシティにおいて、メッセージをＳＴＡ３０６に周期的に送信してもよい。実施形態において、各メッセージは新たなコードを含んでいてもよい。長距離通信ネットワークは、通信リンクを維持するために、長距離通信プロトコル３１４を介して新たなコード（または、新たなコードの派生物）を送信するようにＳＴＡ３０６に要求して、またはそうでなければ、ＳＴＡ３０６が長距離通信プロトコル３１４を介して新たなコード（または、新たなコードの派生物）を送信することを予想してもよい。長距離通信ネットワークはまた、通信リンクを維持するために、ＳＴＡ３０６が、新たなコード（または、新たなコードの派生物）を使用して、通信リンクのセキュリティ（または暗号化）パラメータを修正することを予測してもよい。ＳＴＡ３０６が、短距離通信プロトコル３１２を介して新たなコードを受信して、新たなコード（または、新たなコードの派生物）を、長距離基地局としてのそのキャパシティにおいて、ＡＰ３０４Ａに、または、長距離通信ネットワーク中の別のデバイスに送り戻す場合（あるいは、ＳＴＡ３０６が新たなコードまたは新たなコードの派生物を使用して、通信リンクのセキュリティまたは暗号化パラメータを修正する場合）、通信リンクは維持されてもよい。ＳＴＡ３０６が、短距離通信プロトコル３１２を介して新たなコードを受信しない場合、ならびに／あるいは、新たなコード（または新たなコードの派生物）を、長距離基地局としてのそのキャパシティにおいて、ＡＰ３０４Ａに、または、長距離通信ネットワーク中の他のデバイスに送り戻さない場合、通信リンクは終了されてもよい。
【００４５】
［００５２］
ＳＴＡ３０６は、短距離基地局としてのそのキャパシティにおいて、メッセージをＡＰ３０４Ａに周期的に送信してもよい。実施形態において、メッセージは、ＳＴＡ３０６が依然として存在し、ＡＰ３０４Ａの範囲内であるというインジケーションを含んでいてもよい。別の実施形態において、メッセージは通信リンクを維持するために使用される支払情報を含んでいてもよい。ＡＰ３０４Ａが、短距離基地局としてのそのキャパシティにおいて、メッセージを受信する場合、または、要求した間隔の間、周期的にメッセージを受信する場合、通信リンクは維持されてもよい。ＡＰ３０４Ａが、短距離基地局としてのそのキャパシティにおいて、メッセージを受信しない場合、または、要求した間隔の間、周期的にメッセージを受信しない場合、通信リンクは終了されてもよい。
【００４６】
［００５３］
別の実施形態において、メッセージは、受信を肯定応答する要求を含んでいてもよい。ＳＴＡ３０６が、短距離基地局としてのそのキャパシティにおいてＡＰ３０４Ａによって送信されたメッセージの受信を肯定応答する肯定応答メッセージを、短距離基地局としてのそのキャパシティにおいて、ＡＰ３０４Ａに送信する場合、ＡＰ３０４Ａは、通信リンクを維持してもよく、または、ＳＴＡ３０６が通信リンクを維持できるようにする情報（例えば、コード）をＳＴＡ３０６に提供してもよい。ＳＴＡ３０６が、その短距離基地局としてのキャパシティにおいてＡＰ３０４Ａによって送信されたメッセージの受信を肯定応答しない場合、ＡＰ３０４Ａは、通信リンクを切断してもよく、または、デバイスが通信リンクを維持できるようにするであろう情報をＳＴＡ３０６に提供しなくてもよい。
【００４７】
［００５４］
ＳＴＡ３０６Ａが異なるロケーションに動かされる場合、ＳＴＡ３０６は、短距離基地局としてのそのキャパシティにおいて、新たなコードを受信しないかもしれず、および／または、ＡＴＰ３０４Ａからのメッセージの受信を肯定応答しないかもしれない。実施形態において、ＳＴＡ３０６は、ポジション３０８の近くまたはポジション３０８に位置付けられているとき、短距離通信プロトコルを介してＡＰ３０４Ａと通信するように構成されている。ポジション３０８は、ＡＰ３０４Ａのある距離（例えば、１ｃｍ）内であってもよい。しかしながら、短距離基地局としてのそのキャパシティにおけるＡＰ３０４Ａおよび／またはＡＰ３０４Ａの短距離通信トランシーバは、短い距離（例えば、０〜４ｃｍ）に対してメッセージを送信するように構成されているだけかもしれない。ＳＴＡ３０６Ａがポジション３０８から、ポジション３１０のような別のロケーションへと動かされる場合、ＳＴＡ３０６は、もはや短距離通信プロトコル３１２を介してＡＰ３０４Ａと通信できないかもしれない。したがって、ＳＴＡ３０６は、短距離基地局としてのそのキャパシティにおいて、新たなコードを受信しないかもしれず、および／または、ＡＰ３０４Ａからのメッセージの受信の肯定応答をしないかもしれない。図３中で図示するように、長距離通信プロトコル３１４を介した通信リンクは、ＳＴＡ３０６が応答するための予め定められた時間期間待った後、終了されてもよい。
【００４８】
［００５５］
実施形態において、ＡＰ３０４Ａはまた、ＳＴＡ３０６の識別を検証してもよい。例えば、長距離通信プロトコル３１４を介しての通信リンクを認証および／または維持するために、ＳＴＡ３０６は、コードに加えて、長距離基地局としてのそのキャパシティにおいて、識別データをＡＰ３０４Ａに送信してもよい。したがって、ＳＴＡ３０６が、ポジション３０８から離れて動かされ、または、ＡＰ３０４Ａに近い他の何らかのロケーションから離れて動かされ、別のＳＴＡがＳＴＡ３０６に取って代わる場合、たとえ、新たなコードが送信され、および／または、短距離基地局としてのそのキャパシティにおいてＡＰ３０４Ａによって送信されたメッセージの受信が他のＳＴＡによって肯定応答されたとしても、ＡＰ３０４Ａは通信リンクを切断するように構成されていてもよい。
【００４９】
［００５６］
図４は、ＳＴＡ４０６が短距離通信プロトコルおよび長距離通信プロトコルを介して通信する、別のワイヤレス通信システム４００を図示している。実施形態において、ＳＴＡ４０６のトランシーバ２１４は、短距離通信プロトコル４１２を介して短距離基地局（例えば、ＡＰ４０４Ａ）と通信するように構成されている短距離通信トランシーバと、長距離通信プロトコル４１４を介して長距離基地局（例えば、ＡＰ４０４Ｂ）と通信するように構成されている長距離通信トランシーバとを含んでいてもよい。短距離通信トランシーバは、プロセッサ２０４のようなプロセッサにおよび／または長距離通信トランシーバに結合されていてもよい。例えば、短距離通信トランシーバは、プロセッサ２０４におよび／または長距離通信トランシーバにハードワイヤ接続されていてもよい。
【００５０】
［００５７］
図４中に図示するように、短距離基地局および長距離基地局は、別々のデバイス、ＡＰ４０４Ａ、ＡＰ４０４Ｂである。短距離通信プロトコル４１２は、ＮＦＣプロトコルであってもよく、長距離通信プロトコル４１４は、ＬＴＥであってもよい。図４中において、特定の通信プロトコルが提供されているが、これは、ここで提供されている開示が何らかの通信プロトコルを適用していると当業者が認識するように、単なる例示である。
【００５１】
［００５８］
実施形態において、ＳＴＡ４０６は、長距離通信プロトコル４１４によって決定されたルールを介して長距離通信ネットワークを認証して、ＳＴＡ４０６とＡＰ４０４Ｂとの間の通信リンクを確立してもよい。例えば、ＳＴＡ４０６は、適切なセキュリティ情報（例えば、パスフレーズ、キー、トークン、等）を提供することを含む、ＡＰ４０４Ｂを介して、長距離通信ネットワークとのハンドシェークを実行して、長距離通信ネットワークへのアクセスを得てもよい。ＳＴＡ４０６は、ポジション４０８に位置付けられている間に、この認証を実行してもよい。
【００５２】
［００５９］
別の実施形態において、ＳＴＡ４０６は、短距離通信プロトコル４１２を介して長距離通信ネットワークを認証して、ＳＴＡ４０６とＡＰ４０４Ｂとの間の通信リンクを確立してもよい。例えば、ＳＴＡ４０６は、短距離通信プロトコル４１２を介して、ＡＰ４０４Ａからデータを受信するように構成されていてもよい。データは、長距離通信プロトコル４１４を介して通信する、ＡＰ４０４Ｂのようなデバイスによって認識されるコード（例えば、パスフレーズ、キー、トークン、等）を含んでいてもよい。コードは、長距離通信ネットワークへのアクセスを提供してもよい。例として、データは、ＬＴＥネットワークへのアクセスを提供するセキュリティキーを含んでいてもよい。ＳＴＡ４０６は、ＡＰ４０４Ｂから短距離通信プロトコル４１２を介して受信されたコードを使用して、長距離通信ネットワークへのアクセスを要求してもよい。
【００５３】
［００６０］
上記で説明したように、短距離通信プロトコル４１２をさらに使用して、長距離通信プロトコル４１４を通してのＳＴＡ４０６とＡＰ４０４Ｂとの間の通信リンクを維持または修正してもよい。例えば、ＡＰ４０４Ａは、メッセージをＳＴＡ４０６に周期的に送信してもよい。実施形態において、各メッセージは新たなコードを含んでいてもよい。長距離通信ネットワークは、通信リンクを維持するために、長距離通信プロトコル４１４を介して新たなコード（または、新たなコードの派生物）を送信するようにＳＴＡ４０６に要求して、またはそうでなければ、ＳＴＡ４０６が長距離通信プロトコル４１４を介して新たなコード（または、新たなコードの派生物）を送信することを予想してもよい。長距離通信ネットワークはまた、通信リンクを維持するために、ＳＴＡ４０６が、新たなコード（または、新たなコードの派生物）を使用して、通信リンクのセキュリティ（または暗号化）パラメータを修正することを予測してもよい。ＳＴＡ４０６が、短距離通信プロトコル４１２を介して新たなコードを受信して、新たなコード（または、新たなコードの派生物）を、ＡＰ４０４Ｂに、または、長距離通信ネットワーク中の別のデバイスに送る場合（あるいは、ＳＴＡ４０６が新たなコードまたは新たなコードの派生物を使用して、通信リンクのセキュリティまたは暗号化パラメータを修正する場合）、通信リンクは維持されてもよい。ＳＴＡ４０６が、短距離通信プロトコル４１２を介して新たなコードを受信しない場合、ならびに／あるいは、新たなコード（または新たなコードの派生物）をＡＰ４０４Ｂに、または、長距離通信ネットワーク中の他のデバイスに送らない場合、通信リンクは終了されてもよい。
【００５４】
［００６１］
ＳＴＡ４０６は、メッセージをＡＰ４０４Ａに周期的に送信してもよい。実施形態において、メッセージは、ＳＴＡ４０６が依然として存在し、ＡＰ４０４Ａの範囲内であるというインジケーションを含んでいてもよい。別の実施形態において、メッセージは通信リンクを維持するために使用される支払情報を含んでいてもよい。ＡＰ４０４Ａが、メッセージを受信する場合、または、要求した間隔の間、周期的にメッセージを受信する場合、通信リンクは維持されてもよい。ＡＰ４０４Ａが、メッセージを受信しない場合、または、要求した間隔の間、周期的にメッセージを受信しない場合、通信リンクは終了されてもよい。
【００５５】
［００６２］
別の実施形態において、メッセージは、受信を肯定応答する要求を含んでいてもよい。ＳＴＡ４０６が、ＡＰ４０４Ａによって送信されたメッセージの受信を肯定応答する肯定応答メッセージを、ＡＰ４０４Ａに送信する場合、ＡＰ４０４Ａは、リンク４１６を介してＡＰ４０４Ｂに報知して、通信リンクを維持してもよく、または、ＳＴＡ４０６が通信リンクを維持できるようにする情報（例えば、コード）をＳＴＡ４０６に提供してもよい。ＳＴＡ４０６が、ＡＰ４０４Ａによって送信されたメッセージの受信を肯定応答しない場合、ＡＰ４０４Ａは、リンク４１６を介してＡＰ４０４Ｂに報知して、通信リンクを切断してもよく、または、ＳＴＡ４０６が通信リンクを維持できるようにするであろう情報をＳＴＡ４０６に提供しなくてもよい。
【００５６】
［００６３］
ＳＴＡ４０６Ａが、ポジション４０８から、ポジション４１０のような異なるロケーションに動かされる場合、ＳＴＡ４０６は、新たなコードを受信しないかもしれず、および／または、ＡＰ４０４Ａからのメッセージの受信を肯定応答しないかもしれない。実施形態において、ＳＴＡ４０６は、ポジション４０８の近くまたはポジション４０８に位置付けられているとき、ＡＰ４０４Ａと通信するように構成されている。ポジション４０８は、ＡＰ４０４Ａのある距離（例えば、１ｃｍ）内であってもよい。しかしながら、ＡＰ４０４Ａおよび／またはＡＰ４０４Ａの短距離通信トランシーバは、短い距離（例えば、０〜４ｃｍ）に対してメッセージを送信するように構成されているだけかもしれない。ＳＴＡ４０６Ａがポジション４０８から、ポジション４１０のような別のロケーションへと動かされると、ＳＴＡ４０６は、もはやＡＰ４０４Ａと通信できないかもしれない。したがって、ＳＴＡ４０６は、新たなコードを受信しないかもしれず、および／または、ＡＰ４０４Ａからのメッセージの受信の肯定応答をしないかもしれない。図４中で図示するように、長距離通信プロトコル４１４を介した通信リンクは、ＳＴＡ４０６が応答するための予め定められた時間期間待った後、終了されてもよい。
【００５７】
［００６４］
実施形態において、ＡＰ４０４Ａおよび／またはＡＰ４０４Ｂはまた、ＳＴＡ４０６の識別を検証してもよい。例えば、長距離通信プロトコル４１４を介しての通信リンクを認証および／または維持するために、ＳＴＡ４０６は、コードに加えて、識別データをＡＰ４０４Ａに送信してもよい。したがって、ＳＴＡ４０６が、ポジション４０８から離れて動かされ、または、ＡＰ４０４Ａに近い何らかのロケーションから離れて動かされ、別のＳＴＡがＳＴＡ４０６に取って代わる場合、たとえ、新たなコードが送信され、および／または、ＡＰ４０４Ａによって送信されたメッセージの受信が他のＳＴＡによって肯定応答されたとしても、ＡＰ４０４Ｂは通信リンクを切断するように構成されていてもよい。
【００５８】
［００６５］
例示的な使用ケース
ここで説明するＳＴＡ３０６および／またはＳＴＡ４０６と、ＡＰ３０４Ａ、ＡＰ４０４Ａおよび／またはＡＰ４０４Ｂは、さまざまな用途で実現してもよい。実施形態において、ＳＴＡは、移動体電話機であってもよく、短距離基地局および長距離基地局は、ＡＴＭであってもよい。移動体電話機は、ＮＦＣおよびＷｉＦｉを介してＡＴＭと通信するように構成されていてもよい。例えば、移動体電話機が、ＡＴＭの近くまたはＡＴＭ上に置かれているとき、移動体電話機は、ＮＦＣを介してコードを受信してもよい。移動体電話機は、コードを使用して、ＡＴＭによって動作されるＷｉＦｉネットワークに接続してもよい。一度ＡＴＭ  ＷｉＦｉネットワークに接続されると、ユーザは、移動体電話機を介して、ＡＴＭと安全な取引を行うことができるかもしれない（例えば、移動体電話機は、ユーザが対話するアプリケーションを含んでいてもよい）。移動体電話機が、ＡＴＭからある距離離れて（例えば、ポジション３０８からポジション３１０に）動かされるとすぐに、ＡＴＭは、ＷｉＦｉネットワークを通しての移動体電話機とＡＴＭとの間の通信リンクを切断してもよい（例えば、アプリケーションがディセーブルされる）。
【００５９】
［００６６］
別の例において、ＳＴＡは移動体電話機であってもよく、短距離基地局は、ＮＦＣハブ（例えば、ＮＦＣを介して通信するように構成されているポートまたはデバイス）であってもよく、長距離基地局は、ＷｉＦｉ  ＡＰであってもよい。移動体電話機は、ＮＦＣを介してＮＦＣハブと、ＷｉＦｉを介してＷｉＦｉ  ＡＰと通信するように構成されていてもよい。例えば、移動体電話機がＮＦＣハブの近くに、または、ＮＣＦハブ上に置かれているとき、移動体電話機は、支払情報をＮＦＣハブに送信してもよい。支払情報は、ＮＦＣハブが移動体電話機のユーザに料金を請求できるようにするデータを含んでいてもよい。移動体電話機は、数秒ごとにこの支払情報を周期的に送信してもよい。支払情報を受信することに応答して、ＮＦＣハブは、移動体電話機がＷｉＦｉネットワークに接続できるようにするコードを移動体電話機に提供してもよい。コードは一度送信されてもよく、または、支払情報が受信される毎に新たなコードが送信されてもよい。代替的に、支払情報を受信することに応答して、ＮＦＣハブは、移動体電話機が支払情報を供給したことをＷｉＦｉ  ＡＰに通知してもよい。ＷｉＦｉ  ＡＰは、支払情報がＮＦＣハブに送信される限り（例えば、移動体電話機がＮＦＣハブから離れるように動かない限り）、移動体電話機が、そのＷｉＦｉネットワークに接続できるようにしてもよい。
【００６０】
［００６７］
フローチャートおよびダイヤグラム
図５は、ＳＴＡとＡＰとの間の安全な接続を維持するための決定ダイヤグラム５００を図示している。実施形態において、決定ダイヤグラム５００は、プロセッサ２０４のような、短距離基地局（例えば、ＡＰ３０４Ａおよび／またはＡＰ４０４Ａ）のプロセッサによって実行してもよい。図５中に図示しているように、安全な接続を維持するためのプロセスは、ブロック５０２において開始する。
【００６１】
［００６８］
ブロック５０４において、第１のワイヤレスプロトコルを介して、メッセージがＳＴＡ３０６またはＳＴＡ４０６のようなデバイスに送られる。実施形態において、第１のワイヤレスプロトコルは、短距離通信プロトコルである。ブロック５０６において、短距離基地局は、メッセージへの返答が受信されたか否かを決定する。返答が受信されている場合、ダイヤグラム５００は、ブロック５０８に進む。返答が受信されていない場合、ダイヤグラム５００は、ブロック５１０に進む。
【００６２】
［００６９］
ブロック５０８において、第２のワイヤレスプロトコルを介して、デバイスと長距離基地局との間の通信リンクが確立される。実施形態において、第２のワイヤレスプロトコルは、長距離通信プロトコルである。ブロック５１０において、第２のワイヤレスプロトコルを介した、デバイスと長距離基地局との間の通信リンクは確立されない。ブロック５１０の後、ダイヤグラム５００はブロックに５０４に戻る。
【００６３】
［００７０］
ブロック５１２において、第１のワイヤレスプロトコルを介して、第２のメッセージがデバイスに送られる。ブロック５１４において、短距離基地局は、第２のメッセージへの返答が受信されたか否かを決定する。返答が受信されている場合、ダイヤグラム５００は、ブロック５１６に進む。返答が受信されていない場合、ダイヤグラム５００は、ブロック５１８に進む。
【００６４】
［００７１］
ブロック５１６において、第２のワイヤレスプロトコルを介した、デバイスと長距離基地局との間の通信リンクは維持される。ブロック５１６の後、ダイヤグラム５００はブロックに５１２に戻る。
【００６５】
［００７２］
ブロック５１８において、第２のワイヤレスプロトコルを介した、デバイスと長距離基地局との間の通信リンクが切断される。実施形態において、短距離基地局および／または長距離基地局は、通信リンクを切断してもよい。ブロック５１８の後、ダイヤグラム５００は、ブロック５２０に進み、終了する。
【００６６】
［００７３］
図６は、ＳＴＡとＡＰとの間の安全な接続を維持するための別の決定ダイヤグラム６００を図示している。実施形態において、決定ダイヤグラム６００は、プロセッサ２０４のような、短距離基地局および／または長距離基地局（例えば、ＡＰ３０４Ａ、ＡＰ４０４Ａおよび／またはＡＰ４０４Ｂ）のプロセッサによって実行してもよい。図６中に図示しているように、安全な接続を維持するためのプロセスは、ブロック６０２において開始する。
【００６７】
［００７４］
ブロック６０４において、第１のワイヤレスプロトコルを介して、コードがＳＴＡ３０６またはＳＴＡ４０６のようなデバイスに送られる。実施形態において、第１のワイヤレスプロトコルは、短距離通信プロトコルである。ブロック６０６において、短距離基地局および／または長距離基地局は、第２のワイヤレスプロトコルを介して、コードが受信されたか否かを決定する。実施形態において、第２のワイヤレスプロトコルは、長距離通信プロトコルである。コードが受信されている場合、ダイヤグラム６００は、ブロック６０８に進む。コードが受信されていない場合、ダイヤグラム６００は、ブロック６１０に進む。
【００６８】
［００７５］
ブロック６０８において、第２のワイヤレスプロトコルを介して、デバイスと長距離基地局との間の通信リンクが確立される。ブロック６１０において、第２のワイヤレスプロトコルを介した、デバイスと長距離基地局との間の通信リンクは確立されない。ブロック６１０の後、ダイヤグラム６００はブロックに６０４に戻る。
【００６９】
［００７６］
ブロック６１２において、新たなコードが発生される。ブロック６１４において、新たなコードは、第１のワイヤレスプロトコルを介してデバイスに送られる。ブロック６１６において、短距離基地局および／または長距離基地局は、第２のワイヤレスプロトコルを介して、新たなコードが受信されたか否かを決定する。新たなコードが受信されている場合、ダイヤグラム６００は、ブロック６１８に進む。新たなコードが受信されていない場合、ダイヤグラム６００は、ブロック６２２に進む。
【００７０】
［００７７］
ブロック６１８において、第２のワイヤレスプロトコルを介した、デバイスと長距離基地局との間の通信リンクは維持される、および／または、新たなコードに基づいて、第２のワイヤレスプロトコルを介した、通信リンクのセキュリテイ（または暗号化）が修正される。実施形態において、新たなコードが受信される毎に、第２のワイヤレスプロトコルを介した、通信リンクのセキュリティ（または暗号化）を修正することは、デバイスと長距離基地局との間の接続のセキュリティを向上させる。ブロック６２０において、短距離基地局は、予め定められた時間期間待つ。実施形態において、短距離基地局は周期的に新たなコードを発生させる。時間期間は、短距離基地局によるコードの発生間に経過する持続時間に対応していてもよい。ブロック６２０の後、ダイヤグラム６００はブロックに６１２に戻る。
【００７１】
［００７８］
ブロック６２２において、第２のワイヤレスプロトコルを介した、デバイスと長距離基地局との間の通信リンクが切断される。実施形態において、短距離基地局および／または長距離基地局は、通信リンクを切断してもよい。ブロック６２２の後、ダイヤグラム６００は、ブロック６２４に進み、終了する。
【００７２】
［００７９］
図７は、図１、図３、および／または図４のワイヤレス通信システムにおけるＳＴＡと通信するためのプロセス７００のフローチャートである。ブロック７０２において、第１のワイヤレス通信ユニットは、第１のワイヤレスプロトコルを介して第２の装置と通信する。実施形態において、第１のワイヤレス通信ユニットは、短距離基地局である。さらなる実施形態において、第２の装置はＳＴＡである。さらなる実施形態において、第１のワイヤレスプロトコルは、短距離通信プロトコルである。さらなる実施形態において、第１のメッセージは、第１のワイヤレスプロトコルを介して送信される。
【００７３】
［００８０］
ブロック７０４において、第２のワイヤレス通信ユニットは、第２のワイヤレスプロトコルを介した通信リンクを通して第２の装置と通信する。実施形態において、第２のワイヤレス通信ユニットは、長距離基地局である。さらなる実施形態において、第２のワイヤレスプロトコルは、長距離通信プロトコルである。
【００７４】
［００８１］
ブロック７０６において、第１のメッセージの送信の後の予め定められた時間量内に、第１のワイヤレス通信ユニットが第２の装置から第２のメッセージを受信しない場合、第２のワイヤレス通信ユニットによって、通信リンクが切断される。ブロック７０６の後、プロセス７００は終了する。
【００７５】
［００８２］
図８は、ワイヤレス通信システム１００、３００および／または４００内で用いられてもよい、例示的なデバイス８００の機能ブロックダイヤグラムである。デバイス８００は、第１のワイヤレスプロトコルを介して第２の装置と通信する第１の手段８０２を含んでいる。実施形態において、第１のワイヤレスプロトコルを介して第２の装置と通信する第１の手段８０２は、ブロック７０２に関して上記で議論した機能のうちの１つ以上を実行するように構成されていてもよい。デバイス８００は、第２のワイヤレスプロトコルを介した通信リンクを通して第２の装置と通信する第２の手段８０４をさらに含んでいる。実施形態において、第２のワイヤレスプロトコルを介した通信リンクを通して第２の装置と通信する第２の手段８０４は、ブロック７０４に関して上記で議論した機能のうちの１つ以上を実行するように構成されていてもよい。デバイス８００は、第１のメッセージの送信の後の予め定められた時間量内に、通信する第１の手段が第２の装置から第２のメッセージを受信しない場合に、通信リンクを切断する手段８０６をさらに含んでいる。実施形態において、第１のメッセージの送信の後の予め定められた時間量内に、通信する第１の手段が第２の装置から第２のメッセージを受信しない場合に、通信リンクを切断する手段８０６は、ブロック７０６に関して上記で議論した機能のうちの１つ以上を実行するように構成されていてもよい。
【００７６】
［００８３］
ここで使用したような、用語「決定する」は、幅広いさまざまなアクションを含んでいる。例えば、「決定する」は、算出する、計算する、処理する、導出する、調べる、検索する（例えば、表、データベース、または、別のデータ構造中において検索する）、確認する、および、これらに類するものを含んでいてもよい。また、「決定する」は、受信する（例えば、情報を受信する）、アクセスする（例えば、メモリ中のデータにアクセスする）、および、これらに類するものを含んでいてもよい。さらに、「決定する」は、解決する、選択する、選ぶ、確立する、および、これらに類するものを含んでいてもよい。さらに、ここで使用する「チャネル幅」は、ある態様における帯域幅を含んでいてもよく、または、ある態様における帯域幅として呼ばれてもよい。
【００７７】
［００８４］
ここで使用したような、アイテムのリスト「のうちの少なくとも１つ」を指すフレーズは、単一のメンバーを含む、これらのアイテムの何らかの組み合わせのことを指す。例として、「ａ、ｂ、またはｃのうちの少なくとも１つ」は、「ａ、ｂ、ｃ、ａ−ｂ、ａ−ｃ、ｂ−ｃ、およびａ−ｂ−ｃ」をカバーすることを意図している。 
［００８５］
上記で説明した方法のさまざまな動作は、さまざまなハードウェアおよび／またはソフトウェアコンポーネント、回路、ならびに／あるいはモジュールのような、動作を実行することが可能な何らかの適切な手段により実行できる。一般的に、図面中に図示した何らかの動作は、動作を実行することが可能な対応する機能手段により実行できる。
【００７８】
［００８６］
本開示に関連して説明した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラマブルロジックデバイス（ＰＬＤ）、ディスクリートゲートまたはトランジスタロジック、ディスクリートハードウェアコンポーネント、あるいは、ここで説明した機能を実行するように設計されているこれらの任意の組み合わせで実現しても、あるいは、実行してもよい。汎用プロセッサはマイクロプロセッサであってもよいが、代替実施形態では、プロセッサは、何らかの商業的に入手可能なプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションのような、コンピューティングデバイスの組み合わせとして実現してもよい。
【００７９】
［００８７］
１つ以上の態様において、説明されている機能は、ハードウェア、ソフトウェア、ファームウェア、またはそれらの任意の組み合わせで実現してもよい。ソフトウェアで実現する場合、機能は、１つ以上の命令またはコードとしてコンピュータ読取可能媒体上に記憶されてもよく、あるいは、１つ以上の命令またはコードとしてコンピュータ読取可能媒体上で送信されてもよい。コンピュータ読取可能媒体は、１つの場所から別の場所へのコンピュータプログラムの転送を促進する任意の媒体を含む、コンピュータ記憶媒体および通信媒体の両方を含んでいる。記憶媒体は、コンピュータによってアクセスできる任意の利用可能な媒体であってもよい。限定ではなく例として、このようなコンピュータ読取可能媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいはコンピュータによってアクセスできる命令またはデータ構造の形態で所望のプログラムコードを伝送または記憶するために使用できる他の何らかの媒体を含んでいてもよい。また、任意の接続は、コンピュータ読取可能媒体と適切に呼ばれる。例えば、ソフトウェアが、ウェブサイトから、サーバから、あるいは、同軸ケーブル、ファイバ光ケーブル、撚り対、デジタル加入者線（ＤＳＬ）、または、赤外線や、無線や、マイクロ波のようなワイヤレス技術を使用している他の遠隔ソースから送信された場合、同軸ケーブル、ファイバ光ケーブル、撚り対、ＤＳＬ、あるいは、赤外線や、無線や、マイクロ波のようなワイヤレス技術は、媒体の定義に含まれる。ここで使用されるような、ディスク（ｄｉｓｋおよびｄｉｓｃ）は、コンパクトディスク（ＣＤ）、レーザーディスク（登録商標）、光学ディスク、デジタル多目的ディスク（ＤＶＤ）、フロッピー（登録商標）ディスク、およびブルーレイ（登録商標）ディスクを含み、ディスク（ｄｉｓｋ）は通常、磁気的にデータを再生する一方で、ディスク（ｄｉｓｃ）はレーザにより光学的にデータを再生する。したがって、いくつかの態様では、コンピュータ読取可能媒体は、一時的ではないコンピュータ読取可能媒体（例えば、有形の媒体）を含んでもよい。加えて、いくつかの態様では、コンピュータ読取可能媒体は、一時的なコンピュータ読取可能媒体（例えば、信号）を含んでもよい。上記の組み合わせもまた、コンピュータ読取可能媒体の範囲内に含まれるべきである。
【００８０】
［００８８］
ここで開示した方法は、説明した方法を達成するための１つ以上のステップまたはアクションを含んでいる。方法ステップおよび／あるいはアクションは、特許請求の範囲から逸脱することなく、互いに交換可能であってもよい。言い換えると、ステップまたはアクションの特定の順序が指定されていない限り、特定のステップおよび／またはアクションの順序および／または使用は、特許請求の範囲から逸脱することなく、修正してもよい。
【００８１】
［００８９］
したがって、ある態様は、ここで提示した動作を実行するためのコンピュータプログラムプロダクトを含んでもよい。例えば、このようなコンピュータプログラムプロダクトは、その上に記憶されている（および／またはエンコードされている）命令を有するコンピュータ読取可能媒体を含んでもよく、命令は、ここで記述した動作を実行するために、１つ以上のプロセッサにより実行可能である。ある態様では、コンピュータプログラムプロダクトは、パッケージングマテリアルを含んでもよい。
【００８２】
［００９０］
ソフトウェアまたは命令はまた、送信媒体を通して送信できる。例えば、同軸ケーブル、光ファイバケーブル、撚り対、デジタル加入者回線（ＤＳＬ）、あるいは、赤外線、無線、およびマイクロ波のようなワイヤレス技術を使用して、ウェブサイト、サーバ、または、他の遠隔ソースから、ソフトウェアが送信される場合、同軸ケーブル、光ファイバケーブル、撚り対、ＤＳＬ、あるいは、赤外線、無線、およびマイクロ波のようなワイヤレス技術は、送信媒体の定義中に含まれる。
【００８３】
［００９１］
さらに、ここで説明した方法および技術を実行するモジュールおよび／または他の適切な手段を、ユーザ端末および／または基地局によって、適宜、ダウンロードできる、および／または、そうでなければ取得できると正しく認識すべきである。例えば、このようなデバイスは、ここで説明した方法を実行する手段の転送を促進するために、サーバに結合できる。代替的に、ここで説明したさまざまな方法は、記憶手段をデバイスに結合または提供する際、ユーザ端末および／または基地局がさまざまな方法を得ることができるように、記憶手段（例えば、ＲＡＭ、ＲＯＭ、コンパクトディスク（ＣＤ）またはフロッピーディスクのような物理記憶媒体、等）を介して提供することができる。さらに、ここで説明した方法および技術を提供するための、他の何らかの適切な技術が利用できる。
【００８４】
［００９２］
特許請求の範囲は、上記で説明した正確なコンフィギュレーションおよびコンポーネントに限定されないと理解すべきである。さまざまな改良、変更、および、バリエーションが、上記で説明した方法ならびに装置の構成、動作、および、詳細において、特許請求の範囲から逸脱することなく行われてもよい。
【００８５】
［００９３］
上記は、本開示の態様に向けられているが、本開示の他の態様およびさらなる態様が、その基本的な範囲から逸脱することなく考案することができ、その範囲は、下記の特許請求の範囲によって決定される。
【図１】
2016516330.tif 000003
【図２】
2016516330.tif 000004
【図３】
2016516330.tif 000005
【図４】
2016516330.tif 000006
【図５】
2016516330.tif 000007
【図６】
2016516330.tif 000008
【図７】
2016516330.tif 000009
【図８】
2016516330.tif 000010
【国際調査報告】
2016516330.tif 000011
2016516330.tif 000012